(57)【要約】【課題】繊維製の吊り下げ体でありながらも、従来品に比べて格段に熱に強く、しかも強靭であり乍ら軽量で柔軟性に富み、取り扱いも容易な上、製造が容易で、廉価に作製できる難燃性繊維吊り下げ体を提供する。【解決手段】高機能繊維よりなる内層２外周を、炭化繊維よりなる保護被覆体３で覆ってなり、従来の一般繊維やワイヤーロープと違って、内層２も保護被覆体３も共に強靭でありながら柔軟性に富み、大変取り扱い易く、また、保護被覆体３は炭素繊維から成っているために、熱に強く、傍らに熱源があっても容易には焼き切れてしまうおそれが無く、更に、内層２に高機能繊維を炭化繊維よりなる保護被覆体３で覆っただけの構造であるから、容易に製造でき、安価に提供できる。従って、舞台幕や照明器具類、更には懸垂・横断幕を吊り下げる吊り下げ体として大変有効である。【選択図】    図１
0003208080.tif 000002
【実用新案登録請求の範囲】
【請求項１】
高機能繊維よりなる内層の外周を、炭化繊維よりなる保護被覆体で覆ってなる難燃性繊維吊り下げ体。
【請求項２】
高機能繊維は、パラ系アラミド繊維、超高分子量ポリエチレン繊維、ポリアリレート繊維、ＰＢＯ繊維、メタアラミド繊維、ポリイミド繊維のいずれかである請求項１記載の難燃性繊維吊り下げ体。
【請求項３】
保護被覆体は、炭化繊維を縦横に編んだシートであるか、炭化繊維を互いに平行に並べて得たシートの何れかである請求項１記載の難燃性繊維吊り下げ体。
【考案の詳細な説明】
【技術分野】
【０００１】
本考案は、例えば、舞台などに用いられる緞帳や垂れ幕、各種のつり物、見切り幕や引き割り幕等（以下単に舞台幕と称する）更にはスポットライトやフラッドライト等の照明器具類を天井（すのこ）から、或いは懸垂・横断幕を建造物に吊るす時などに用いられる難燃性繊維吊り下げ体に関する。
【背景技術】
【０００２】
舞台幕や照明器具類、更には懸垂・横断幕をセットするには、従来から、一般的にワイヤーロープの他に、本考案が対象とする繊維吊り下げ体である繊維ロープや繊維スリングが広く用いられている。
殊に、舞台装置に例をとると、舞台幕や照明具が互いに接近し合って天井から垂下されている（図４参照）。また、懸垂・横断幕等でも、夜間のライトアップのために照明灯などが近接して配置されることもよく見受けられる（特許文献１乃至３参照）。
【先行技術文献】
【特許文献】
【０００３】
【特許文献１】特開２００４―２０２２４３号公報
【特許文献２】特開２００９―２７１１２０号公報
【特許文献３】実用新案登録第３０４１１０１号公報
【考案の開示】
【考案が解決しようとする課題】
【０００４】
ところで、照明器具は、一般に用いられるものと違って大変な熱を帯びる。この熱源が常に傍らにある状況においては、ワイヤーロープはさほどでもないが、繊維ロープの場合には、複数層で作製されてはいるが、何れもが一般繊維である場合が多く、熱を受けて容易に熱せられ、時として焼け切れるおそれがある。また現に焼き切れて、吊り下げていた各種の器具類や幕類が落下した事例も見られた。
【０００５】
そこで、繊維ロープに代えてワイヤーロープを採用するケースが多いのであるが、ワイヤーロープは、言うまでもなく、強度はあるが、重量があり取扱難く、上げ下げが大変で、そのための各種つり上げ器具類はよりパワーのある大型なものを採用しなければならず、また天井等に多くの負荷をかけるなどの問題点もある。
【０００６】
そこで本考案者らは、前記の従来技術を種々検討した結果、たとえ熱源が傍らにあったとしても、この熱源からの高熱をうまく遮断し、容易には焼き切れるおそれの少ない難燃性繊維吊り下げ体の開発を試みた結果、所期の満足する結果を得ることができるに至ったので、ここに提案する。
【０００７】
従って、本考案の目的は、繊維製の吊り下げ体でありながらも、従来品に比べて格段に熱に強く、しかも強靭であり乍ら軽量で柔軟性に富み、取り扱いも容易な上、製造が容易で、廉価に作製できる難燃性繊維吊り下げ体を提供することにある。
【課題を解決するための手段】
【０００８】
上記の目的を達成するために、この考案の請求項１に記載の難燃性繊維吊り下げ体は、高機能繊維よりなる内層の外周を、炭化繊維よりなる保護被覆体で覆ってなる。
【０００９】
難燃性繊維吊り下げ体において、請求項１記載の高機能繊維は、パラ系アラミド繊維、
超高分子量ポリエチレン繊維、ポリアリレート繊維、ＰＢＯ繊維、メタアラミド繊維、ポリイミド繊維のいずれかであるのが望ましい（請求項２）。
【００１０】
また、保護被覆体は、炭化繊維を縦横に編んだシートであるか、炭化繊維を互いに平行に並べて得たシートの何れかであるのが望ましい（請求項３）。
【考案の効果】
【００１１】
このように、この考案の請求項１〜３に係る難燃性繊維吊り下げ体は、内層に高機能繊維を用い、その内層の周囲を覆う保護被覆体に炭化繊維を用いたので、従来の一般繊維やワイヤーロープと違って、内層も保護被覆体も共に強靭でありながら柔軟性に富み、大変取り扱い易い。また、保護被覆体は炭素繊維から成っているために、熱に強く、傍らに熱源があっても容易には焼き切れてしまうおそれが無くなった。更に、内層に高機能繊維を炭化繊維よりなる保護被覆体で覆っただけの構造であるから、容易に製造でき、安価に提供できる。従って、舞台幕や照明器具類、更には懸垂・横断幕を吊り下げる吊り下げ体として大変有効である。
【図面の簡単な説明】
【００１２】
【図１】この考案に係る難燃性繊維吊り下げ体をエンドレス形ラウンドスリングに適用した場合の実施例を示し、要部の一部切欠き拡大外観図である。
【図２】エンドレス形ラウンドスリングの一部切欠き全体外観図である。
【図３】両端アイ形ラウンドスリングの一部切欠き全体外観図である。
【図４】繊維ロープに適用した場合の要部の拡大斜視図である。
【図５】舞台の吊物設置の状況を示す説明図である。
【考案を実施するための最良の形態】
【００１３】
図１〜２は本考案に係る難燃性繊維吊り下げ体をエンドレス形ラウンドスリングに適用した場合の実施の形態を示している。
１はエンドレス形ラウンドスリング、２はこのエンドレス形ラウンドスリング１を構成する芯材、３はこの芯材２の外側を囲繞する保護被覆体である。
【００１４】
この実施例において、芯材２は高機能繊維からなるフィラメントを複数本引き揃えて下撚り、上撚り加工したもので、目的とするスリング長さの綛体を作製する。綛体は一定長さの環状に多数回巻き廻しして目的とするスリングの必要強さを得るまでの太さにする。芯材２を構成する撚糸の両端は互いに結束される。高機能繊維としては、各種のものを採用できる。一例としては、パラ系アラミド繊維、超高分子量ポリエチレン繊維、ポリアリレート繊維、ＰＢＯ繊維、メタアラミド繊維、ポリイミド繊維等である。本考案では、考案の目的などを勘案した結果、高強度、高弾性率、耐熱性、耐摩耗性、低伸度等に優れているポリアリレート繊維を採用した。
【００１５】
保護被覆体３は、芯材２を保護するもので、熱源から芯材２を確実に守るために、芯材２の周囲を包み込み、また、難燃性であることが殊に重要であるが、他にも所期の目的を達成する意味合いからも、軽量であること、強度があることと合わせて柔軟性も要求される。これらの要求を満足させる素材として炭素繊維を採用した。具体的には、炭素繊維の縦繊維と横繊維とが交わるように編組して得たシート材４を採用した。シート材４は芯材２の周囲を囲繞するのには、加工もし易く理想的であるが、シート材以外にも、必要に応じて、単純に炭素繊維を平行に並べて樹脂などによって固めたもの採用できる。どちらの場合も芯材２の周囲を覆い、重合する端辺を互いに重ね合わせて、縫着５等の手段で固定し、内部に芯材２が存在するエンドレス形ラウンドスリング１を得た。
【００１６】
前記シート材４は、一例を示すと、糸数がたて７６〜６４本／１００ｍｍ、よこ４８〜
３６本／１００ｍｍの範囲で、編組して得た。シート材４は必要に応じて炭素繊維にガラス繊維を混在させたものも採用できる。
【００１７】
以上の実施の形態では、エンドレス形ラウンドスリング１に適用した場合を例示したが、この技術は他の形態のスリング、例えば図３に示すような両端アイ形スリング、更には図４に示す繊維ロープ６にも適用できることは言うまでもない。繊維ロープに適用する場合を更に具体的に説明すると、芯材２は高機能繊維のストランドを複数本撚り合わせことで得、この芯材２Ａの周囲を前記保護被覆体３で覆ったものである。また、芯材２を囲繞する際に保護被覆材３の端辺を縫着５で固定するとしているが、必ずしも縫着手段に限定されることなく、図示しないが、必要に応じて、接着や布テープなどの手段を用いることもできる。
【００１８】
以上説明した各実施例は、必ずしも図示する構造に限定されるものではなく、示された個々の構造、形状は考案の趣旨と矛盾しない範囲で相互に組み合わせたり、援用したりすることが出来る。
【産業上の利用可能性】
【００１９】
本考案に係る難燃性繊維吊り下げ体は、舞台装置の吊り下げのみならず、海上構造物を海底に係留するため係留ロープや船舶用ロープに、また、必要に応じて養殖、定置、底曳等の水産漁業用ロープ、更には陸上用一般ロープなどとしても好適に適用される。
【符号の説明】
【００２０】
１…エンドレス形ラウンドスリング
２、２Ａ…芯材
３…保護被覆体
４…シート材
５…縫着
６…繊維ロープ
【図１】
0003208080.tif 000003
【図２】
0003208080.tif 000004
【図３】
0003208080.tif 000005
【図４】
0003208080.tif 000006
【図５】
0003208080.tif 000007